(57)【要約】【課題】効率良く安定的に電力を供給する。【解決手段】バックアップ電源装置１０では、予め定めた基準レベル以上の電力が交流電源１２からＡＣ・ＤＣ変換部１４を介して供給されるときには、交流電源１２からＡＣ・ＤＣ変換部１４を介して負荷装置２６へ電力を供給する。そして、ＡＣ・ＤＣ変換部１４から出力される電力のレベルが基準レベル未満となると、二次電池１８から負荷装置２６へ電力が供給されるとともに、燃料電池発電回路２２の発電が開始される。燃料電池発電回路２２から基準レベル以上の電力が出力されると、二次電池１８に変わって燃料電池発電回路２２による電力が負荷装置２６へ供給される。このため、交流電源１２から供給される交流電圧の遮断等により供給される電力の電圧レベルが低下した場合に、燃料電池発電回路２２による電力を負荷装置２６へ供給することができるので、二次電池１８から負荷装置２６へ電力を供給する従来技術に比べて、交流電圧の遮断時であっても、長時間にわたって負荷装置２６へ安定した電力を供給することができる。【選択図】  図１
2005020900.tif 000002
【特許請求の範囲】
【請求項１】
外部電力を負荷へ供給する電力線に接続され、且つ前記外部電力により前記負荷へ電力供給が困難な状態を表わす供給状態を検出する検出手段と、
前記電力線に接続されると共に、前記検出手段による検出結果により予め蓄えた二次電力を供給する二次電池と、
前記電力線に接続されると共に、前記二次電池に接続され、前記検出手段の検出結果により前記二次電池から供給される二次電力により発電を開始する燃料電池と、
を備えたことを特徴とするバックアップ電源装置。
【請求項２】
前記検出手段は、前記二次電池のための前記供給状態の検出と、前記燃料電池のための前記供給状態の検出とを独立して検出することを特徴とする請求項１に記載のバックアップ電源装置。
【請求項３】
前記供給状態は、前記外部電力の値から所定値を低下した電力以下の電力供給状態であることを特徴とする請求項１または請求項２に記載のバックアップ電源装置。
【請求項４】
前記二次電池の残容量を検出する容量検出手段と、前記容量検出手段の検出結果により、前記外部電力の一部で前記二次電池を充電する充電手段と、を更に備えたことを特徴とする請求項１乃至請求項３の何れか１項に記載のバックアップ電源装置。
【発明の詳細な説明】
【０００１】
【発明の属する技術分野】
本発明は、バックアップ電源装置に係り、特に、外部電力の電力供給が困難な場合であっても、継続して負荷へ電力を供給するバックアップ電源装置に関する。
【０００２】
【従来の技術】
従来より、パーソナルコンピュータやデジタルカメラ等の電子機器へ電力を供給する電力供給装置が知られている。このような電力供給装置では、電源電圧の低下や電源遮断等によって、電子機器への電力供給が困難になる恐れがあった。
【０００３】
このような電子機器へ安定的に継続して電力を供給するために、電子機器への電力供給をバックアップする技術が知られている（例えば、特許文献１参照）。この技術は、いわゆる無停電電源装置として知られており、商用電源から負荷へ電力を供給し、停電等により商用電源から供給される電圧が低下すると、二次電池から負荷へ電力を供給するものがある。
【０００４】
二次電池から負荷への電力供給時間は、二次電池の容量に依存するが、その時間を長くするためには、大型の二次電池を搭載する必要があった。このような装置の大型化及び重量化を抑制するために、継続的に電力供給が可能な燃料電池を更に搭載した装置が知られている（特許文献２参照）。
【０００５】
この技術では、交流電源から交流負荷への電力供給が、停電等により低下すると、燃料電池による直流電圧を交流電圧に変換して供給する。さらに、燃料電池が起動して規定値以上の電力供給を開始するまでの時間においては、電力蓄積装置の直流電圧を交流電圧に変換し、その後に交流負荷へ供給される。
【０００６】
【特許文献１】
特開２０００−１４０４３号公報（第９頁―１０頁、第２図）
【特許文献２】
特開２０００―３４１８８１号公報（第３頁、第１図）
【０００７】
【発明が解決しようとする課題】
しかしながら上記技術では、交流電源からの供給電力低下時に、電力蓄積装置及び燃料電池から出力された直流電圧を交流電圧へ変換した後に、交流負荷へ電力を供給するものであるため、変換時に電力損失が発生する恐れがあるとともに、負荷への電力供給が遮断される恐れがあった。
【０００８】
本発明は、上記事実を考慮したものであり、外部電力による電子機器への電力供給が困難な場合であっても、効率良く安定的に電力を供給することができるバックアップ電源装置を提供することを目的とする。
【０００９】
【課題を解決するための手段】
上記目的を達成するために本発明のバックアップ電源装置は、外部電力を負荷へ供給する電力線に接続され、且つ前記外部電力により前記負荷へ電力供給が困難な状態を表わす供給状態を検出する検出手段と、前記電力線に接続されると共に、前記検出手段による検出結果により予め蓄えた二次電力を供給する二次電池と、前記電力線に接続されると共に、前記二次電池に接続され、前記検出手段の検出結果により前記二次電池から供給される二次電力により発電を開始する燃料電池と、を備えることを特徴としている。
【００１０】
本発明のバックアップ電源装置は、外部から入力された外部電力を負荷へ供給する電力線を備えている。この電力線には、検出手段、二次電池、及び燃料電池が接続されている。負荷は、電力線を介して電力が供給されることによって動作する。検出手段は、負荷への外部電力の供給が困難な状態を表す供給状態を検出すると、検出結果を二次電池及び燃料電池へ出力する。二次電池は、検出結果が入力されると、予め蓄えた二次電力を電力線を介して負荷へ出力する。負荷には、二次電池による二次電力が供給される。更に、二次電池は、燃料電池に接続されており、二次電池の二次電力は燃料電池へも供給される。燃料電池は、供給された燃料を化学反応させて電力を発生するものであり、検出手段による検出結果が入力されると、二次電池から供給される二次電力を用いて化学反応を開始する。この化学反応によって発生した電力は、負荷へ供給される。負荷には、燃料電池から電力が供給される。
【００１１】
このように、外部電力から負荷への電力供給が困難な状態となると、二次電池から負荷へ電力を供給するとともに、二次電池の二次電力を用いて燃料電池の発電が開始されて、燃料電池の発電による電力が負荷へ供給される。このため、外部電力から負荷への電力供給が困難な状態であっても、二次電池及び燃料電池による電力を負荷へ供給することができるので、安定的に負荷へ電力を供給することができる。
【００１２】
前記検出手段は、前記二次電池のための前記供給状態の検出と、前記燃料電池のための前記供給状態の検出とを独立して検出することができる。
【００１３】
検出手段は、外部電力から負荷への電力供給状態に応じて、二次電池の供給状態の検出と、燃料電池の供給状態の検出とを独立して検出する。このため、外部電力から負荷への電力供給状態に応じて、二次電池から負荷への電力供給と、燃料電池から負荷への電力供給とを制御することができるので、効率よく電力を供給することができる。
【００１４】
前記供給状態は、前記外部電力の値から所定値を低下した電力以下の電力供給状態とすることができる。
【００１５】
負荷への電力供給が困難な状態には、電力供給の瞬断や負荷の消費電力未満の電力供給などがある。そこで、所定値を定め、外部電力からこの所定値を低下した電力が供給されると、検出手段は、負荷への電力供給が困難な供給状態であることを検出するようにすれば、負荷へ安定した電力を供給することができる。
【００１６】
前記二次電池の残容量を検出する容量検出手段と、前記容量検出手段の検出結果により、前記外部電力の一部で前記二次電池を充電する充電手段と、を更に備えることができる。
【００１７】
二次電池の残容量が少なくなると、二次電池から安定した電力を供給することが困難となる。そこで、容量検出手段を更に備え、二次電池の残容量を検出する。容量検出手段が二次電池の残容量を検出すると、充電手段は、検出結果に応じて、外部電力の一部で二次電池を充電するため、二次電池を満充電状態に保つことができ、二次電池の容量の低下を抑制することができる。
【００１８】
【発明の実施の形態】
本発明のバックアップ電源装置に係るバックアップ電源装置１０の一の実施の形態を図面に基づき説明する。
【００１９】
図１に示すように、バックアップ電源装置１０は、交流電源１２、ＡＣ・ＤＣ変換部１４、ダイオード１６、二次電池１８、充電回路２０、燃料電池発電回路２２、燃料タンク２４、負荷装置２６、入力電源検出部２８、充電状態検知部２９、ダイオード３０、及びダイオード３２から構成されている。交流電源１２は、ＡＣ・ＤＣ変換部１４に接続されている。ＡＣ・ＤＣ変換部１４の一方の出力側は接地されており、他方の出力側は、分岐点Ａを介して、ダイオード１６のアノード及び入力電源検出部２８の一方の入力側へ接続される。入力電源検出部２８の他方の入力側は、二次電池１８に接続されている。二次電池１８の一端は接地されており、出力側の一方は、燃料電池発電回路２２に接続されている。また、二次電池１８の他方の出力側は、分岐点Ｅを介してダイオード３０のカソード及び充電状態検知部２９の入力側に接続される。ダイオード３０のカソードは、分岐点Ｂ、分岐点Ｃ、及び分岐点Ｄを介して、負荷装置２６に接続されるとともに、分岐点Ｃを介して充電回路２０に接続される。充電状態検知部２９の出力側は、充電回路２０の入力側に接続されている。
【００２０】
入力電源検出部２８の出力側は、分岐点Ｆを介して充電回路２０及び燃料電池発電回路２２の入力側に接続されている。充電回路２０の出力側は、二次電池１８へ接続されている。燃料電池発電回路２２の一端は、接地されている。燃料電池発電回路２２には、更に、燃料（メタノール水溶液）を貯留するための燃料タンク２４が接続されており、出力側は、ダイオード３２のアノードに接続されている。ダイオード３２のカソードは、分岐点Ｄを介して負荷装置２６に接続されている。また、負荷装置２６の出力側は接地されている。
【００２１】
なお、燃料タンク２４には、燃料を外部から補給するための図示を省略した補給口が設けられており、外部から随時燃料を
補給可能な構成となっている。また、燃料タンク２４は、バックアップ電源装置１０に着脱可能に設けるようにしてもよい。また、図示は省略するが、燃料電池発電回路２２には、酸素を外部から取込むための取込口、及び反応によって生じた水及び二酸化炭素を外部へ排出するための排出口を備えている。なお、二次電池１８は、バックアップ電源装置１０に対して着脱可能、すなわち交換可能に設けられるものとする。
【００２２】
ＡＣ・ＤＣ変換部１４は、交流電源１２を経由して入力された交流電圧を整流して直流電圧に変換する。直流電圧は、入力電源検出部２８、充電回路２０、及び負荷装置２６へ供給される。負荷装置２６は、供給された直流電圧によって駆動する電子機器であって、例えば、デジタルカメラやパーソナルコンピュータ等がある。デジタルカメラ、及びパーソナルコンピュータは、各々汎用的かつ一般的なハードウェア構成のめ、詳細な説明を省略する。
【００２３】
入力電源検出部２８は、ＡＣ・ＤＣ変換部１４から入力された直流電圧が、予め定めた基準レベルより大きい場合には、ハイレベルの信号を出力する。この基準レベルとして、例えば、交流電源１２からＡＣ・ＤＣ変換部１４を介して負荷装置２６の消費電力に応じた充分な電力量を示す値が予め定められるものとする。
【００２４】
二次電池１８は、本実施の形態では、定電流制御状態にあるものとし、常に定められた略一定の直流電圧を出力するものとする。二次電池１８の一例には、リチウムイオン電池やニッケル水素電池等がある。なお、この二次電池１８から出力Ｓれる直流電圧のレベルは、ＡＣ・ＤＣ変換部１４から出力される直流電圧のレベル及び燃料電池発電回路２２から出力される直流電圧のレベルより低いものとする。
【００２５】
充電状態検知部２９は、二次電池１８の満充電状態を検知する。例えば、二次電池１８としてリチウムイオン電池を使用する場合、満充電状態は、図２（Ａ）の充電時間と充電電流及び充電電圧の関係を表す線図に示される。図２（Ａ）に示すように、リチウムイオン電池の満充電状態は、充電電流が１００ｍＡ以下となると、満充電と判断することができる。また、二次電池１８としてニッケル水素電池を使用する場合、満充電状態は、図２（Ｂ）の充電時間と充電電流及び充電電圧の関係を表す線図によって示される。図２（Ｂ）に示すように、ニッケル水素電池の満充電状態は、充電時間あたりののニッケル水素電池の電圧が−ΔＶ以上となった場合に、満充電と判断することができる。充電状態検知部２９は、二次電池１８の満受電状態を検知すると、検知信号を充電回路２０へ出力する。
【００２６】
充電回路２０は、二次電池１８を充電するためのものである。具体的には、ＡＣ・ＤＣ変換部１４から分岐点Ｃを介して入力される直流電圧を、充電状態検知部２９から二次電池１８の満充電状態を示す検知信号に応じて二次電池１８へ供給することによって、二次電池１８を充電するためのものである。燃料電池発電回路２２には、例えば、固体高分子形の燃料電池であって、メタノール水溶液を燃料電池に直接供給するメタノール直接型燃料電池（ＤＭＦＣ）が用いられる。このような燃料電池発電回路２２は、図３に示すように、アノード３４とカソード３６との間にプロトン伝導膜３８が挟まれた構成となっている。そして、燃料タンク２４（図１参照）を介して、アノード３４からメタノール水溶液（ＣＨ３ＯＨ＋Ｈ２Ｏ）が供給されるとともに、カソード３６から酸素（Ｏ２）が供給されることにより、プロトン伝導に伴って化学反応が生じ、メタノールが連続的に酸化されて起電力ｅが生じると共に、二酸化炭素（ＣＯ２）と水（Ｈ２Ｏ）が排出される。この起電力ｅにより負荷装置２６に電力を供給することができる。この燃料電池発電回路２２では、入力電源検出部２８から発電を指示する信号が入力されると、二次電池１８から供給される電力によって、燃料タンク２４に貯留されたメタノール水溶液（ＣＨ３ＯＨ＋Ｈ２Ｏ）、及び外部から酸素（Ｏ２）が供給されて、発電を開始する。この発電によって、燃料電池発電回路２２から負荷装置２６へ直流電力が供給される。
【００２７】
なお、バックアップ電源装置１０は、本発明のバックアップ電源装置に相当し、入力電源検出部２８、ダイオード１６及びダイオード３０は、本発明の検出手段に相当する。また、二次電池１８は、本発明の二次電池に相当し、燃料電池発電回路２２は、本発明の燃料電池に相当する。また、充電状態検知部２９は、本発明の容量検出手段に相当し、充電回路２０は、充電手段に相当する。
【００２８】
次に本実施の形態の作用を図４、及び図５を用いて説明する。
【００２９】
図４には、交流電源１２から供給される電力降下前後における、バックアップ電源装置１０から負荷装置２６へ供給される電圧レベルの推移を示したものである。詳細には、交流電源１２から供給される交流電圧、分岐点Ａにおける直流電圧、燃料電池発電回路から出力される直流電圧、入力電源検出部２８から出力される信号レベル、及び二次電池１８から出力される直流電圧のレベルの推移を示した。
【００３０】
交流電源１２から交流電圧が供給されると、供給された交流電圧は、ＡＣ・ＤＣ変換部１４において直流電圧に変換して出力される。直流電圧は、負荷装置２６へ供給されるとともに、入力電源検出部２８、及び充電回路２０へ供給される。ＡＣ・ＤＣ変換部１４からの直流電圧の出力開始時間をＴ０とすると、時間Ｔ０において、分岐点Ａには、所定レベルの直流電圧が供給される。また、時間Ｔ０において、予め定めた基準電圧より大きい直流電圧が入力電源検出部２８へ入力される。このため、入力電源検出部２８は、ハイレベルの信号を燃料電池発電回路２２へ出力する。また、時間Ｔ０では、燃料電池発電回路２２では、発電は停止されている。また、二次電池１８は、常に定められた略一定の直流電圧を出力している。
【００３１】
交流電源１２から供給される交流電圧の電圧レベルが低下すると（時間Ｔ１）、それに伴って、分岐点Ａにおける直流電圧の電圧レベルが低下する（時間Ｔ２）。分岐点Ａにおける直流電圧の電圧レベルが低下すると、入力電源検出部２８には、予め定めた基準電圧より小さい直流電圧が入力される。このため、入力電源検出部２８は、時間Ｔ２において、ローレベルの信号の燃料電池発電回路２２及び充電回路２０への出力を開始する。燃料電池発電回路２２は、入力電源検出部２８からローレベルの信号が入力されると、二次電池１８から入力されている直流電圧によって、発電を開始する。燃料電池発電回路２２において発電が開始されると、燃料電池発電回路２２から負荷装置２６へ直流電圧が供給される（時間Ｔ３）。
【００３２】
ここで、二次電池１８は、ＡＣ・ＤＣ変換部１４及び燃料電池発電回路２２各々から出力される直流電圧のレベルに比較して低レベルの直流電圧を出力するとともに、二次電池１８は、ダイオード３０を介してＡＣ・ＤＣ変換部１４、及び燃料電池発電回路２２と並列に接続されている。このため、上記交流電源１２から供給される交流電圧の電圧レベルが低下し、二次電池１８からの出力電圧より低下する時間Ｔ１から、上記燃料電池発電回路２２から負荷装置２６への直流電圧供給が開始されて燃料電池発電回路２２からの出力電圧が二次電池１８からの出力電圧より高くなる時間Ｔ３までの間では、二次電池１８から負荷装置２６へ、直流電圧が供給される。具体的には、図５の燃料電池発電回路２２、二次電池１８、及び交流電源１２各々から出力される電圧レベルの時間推移を表す線図に示されるように、交流電源１２から供給される交流電圧の電圧レベルが降下して二次電池１８から出力される電圧レベルより低くなり（時間Ｔ１）、燃料電池発電回路２２から二次電池１８の出力電圧レベルより高いレベルの直流電圧が負荷装置２６へ供給される（時間Ｔ３）まで、すなわち、燃料電池発電回路２２が起動して基準レベル以上の直流電圧を負荷装置２６へ供給開始するまでの間では、二次電池１８から負荷装置２６へ電力が供給される。
【００３３】
以上説明したように、本発明のバックアップ電源装置１０では、予め定めた基準レベル以上の電力（直流電圧）が交流電源１２からＡＣ・ＤＣ変換部１４を介して供給されるときには、交流電源１２からＡＣ・ＤＣ変換部１４を介して負荷装置２６へ電力（直流電圧）を供給する。そして、ＡＣ・ＤＣ変換部１４から出力される電力（直流電圧）のレベルが基準レベル未満となると、二次電池１８から負荷装置２６へ電力（直流電圧）が供給されるとともに、燃料電池発電回路２２の発電が開始される。燃料電池発電回路２２から基準レベル以上の電力（直流電圧）が出力されると、二次電池１８に変わって燃料電池発電回路２２による電力（直流電圧）が負荷装置２６へ供給される。このため、交流電源１２から供給される交流電圧の遮断等により供給される電力の電圧レベルが低下した場合に、燃料電池発電回路２２による電力を負荷装置２６へ供給することができるので、二次電池１８から負荷装置２６へ電力を供給する従来技術に比べて、交流電圧の遮断時であっても、長時間にわたって負荷装置２６へ安定した電力を供給することができる。
【００３４】
また、従来技術のように、燃料電池発電回路２２及び二次電池１８から出力される直流電圧を交流電圧に変換した後に交流負荷へ供給する場合に比べて、燃料電池発電回路２２及び二次電池１８から出力される直流電圧を負荷装置２６へ直接供給することができるため、電力損失を抑制することができ、効率よく電力を供給することが可能となる。
【００３５】
また、交流電源１２から供給される電圧レベルが基準レベル未満となってから、燃料電池発電回路２２から基準レベル以上の電力が負荷装置２６へ供給されるまでの間には、二次電池１８から負荷装置２６へ電力を供給するため、安定した電力を負荷装置２６へ供給することができる。また、二次電池１８は、燃料電池発電回路２２の起動時に、燃料電池発電回路２２起動のための電力供給と、燃料電池発電回路２２が起動するまでの間における負荷装置２６への電力供給に使用する。このため、バックアップ電源装置１０には、交流電源１２からの入力電力の降下後、二次電池１８から負荷装置２６へ電力を供給し続ける場合に搭載する二次電池に比較して、電池容量や電池容積の小さい二次電池を搭載すればよいため、二次電池１８の大型化を抑制することができ、バックアップ電源装置１０の小型化を実現することができる。
【００３６】
なお、二次電池１８から電力を出力し続けると、二次電池１８の残量が少なくなり、燃料電池発電回路２２及び燃料電池発電回路２２が起動するまでの時間において負荷装置２６へ電力を供給することが困難となる場合がある。このような場合に対応するために、本実施の形態のバックアップ電源装置１０の充電回路２０では、二次電池１８の充電処理を更に行うことができる。
【００３７】
図６には、充電回路２０で行われる処理の流れを示した。充電回路２０では、ステップ１００において、交流電源１２からＡＣ・ＤＣ変換部１４を介して供給される電圧レベルが正常、すなわち所定値以上であるか否かを判断する。上記ステップ１００の判断は、入力電源検出部２８から入力される信号がローレベルであるかを判別することによって判断することができる。
【００３８】
ステップ１００で否定されると、本ルーチンを終了し、肯定されると、ステップ１０２へ進み、二次電池１８が満受電状態であるか否かを判断する。上記ステップ１０２の判断は、充電状態検知部２９から入力される二次電池１８の満充電を示す信号の入力を判別することによって判断することができる。上記ステップ１０２で否定されると、本ルーチンを終了し、肯定されるとステップ１０４へ進む。
【００３９】
ステップ１０４では、二次電池充電処理が実行される。ステップ１０４の処理は、交流電源１２からＡＣ・ＤＣ変換部１４、及び分岐点Ｃを介して供給される直流電圧の、二次電池１８への供給を開始するものである。ステップ１０４の処理によって、二次電池１８を充電する充電処理が開始される。
【００４０】
次に、ステップ１０６では、二次電池１８が満受電状態であるか否かを判断し、否定されるとステップ１０４へ戻り、肯定されるとステップ１０８へ進む。ステップ１０６の判断は、充電状態検知部２９から二次電池１８の満充電状態を示す検知信号の入力を判別することによって判断することができる。
【００４１】
ステップ１０８では、二次電池受電停止処理を実行した後に、本ルーチンを終了する。ステップ１０８の処理は、交流電源１２からＡＣ・ＤＣ変換部１４、及び分岐点Ｃを介して供給された直流電圧の二次電池１８への供給を停止するものである。ステップ１０８の処理によって、二次電池１８への充電処理は終了する。
【００４２】
以上説明したように、本実施の形態のバックアップ電源装置１０では、交流電源１２からＡＣ・ＤＣ変換部１４を介した負荷装置２６への電力供給中に、交流電源１２から供給される電力によって二次電池１８を充電することができるので、効率よく二次電池１８を充電することが可能となる。また、二次電池１８の充電処理は、二次電池１８が満充電状態では無い場合に実行されるので、二次電池１８の性能の劣化速度を抑制することが可能となる。
【００４３】
【発明の効果】
以上説明したように、本発明のバックアップ電源装置によれば、外部電力から負荷への電力供給が困難な状態となると、二次電池から負荷へ電力を供給するとともに、二次電池の次電力を用いて燃料電池の発電が開始され、燃料電池の発電による電力が負荷へ供給されるので、外部電力からの電力供給が困難な状態であっても、二次電池及び燃料電池による電力を負荷へ供給することができるので、安定的に負荷へ電力を供給することができる、という効果を有する。
【図面の簡単な説明】
【図１】本実施の形態に係る電力供給装置の主要構成を示すブロック図である。
【図２】二次電池の満受電状態の検出を示す線図であり、（Ａ）は、リチウムイオン電池の満充電状態を示す線図であり、（Ｂ）は、ニッケル水素電池の満充電状態の検出を示す線図である。
【図３】燃料電池の一例を示す図である。
【図４】本実施の形態に係る交流電源から供給される電力の降下前後における、電力供給装置から負荷へ供給される電力レベルの推移を示したものであり、交流電源から供給される交流電圧、分岐点Ａにおける直流電圧、燃料電池発電回路から出力される直流電圧、入力電源検出部から出力される信号レベル、及び二次電池から出力される直流電圧のレベルの推移を示すものである。
【図５】本実施の形態に係る交流電源から供給される電圧降下時の電力供給装置から負荷への電力供給の説明に供するグラフであり、交流電圧、燃料電池発電回路から出力される電圧、及び二次電池から出力される電圧の推移を示すものである。
【図６】充電回路で実行される処理の流れを示すフローチャートである。
【符号の説明】
１０  バックアップ電源装置
１２  交流電源
１４  ＡＣ・ＤＣ変換部
１６  ダイオード
１８  二次電池
２０  充電回路
２２  燃料電池発電回路
２８  入力電源検出部
２９  充電状態検知部
【図１】
2005020900.tif 000003
【図２】
2005020900.tif 000004
【図３】
2005020900.tif 000005
【図４】
2005020900.tif 000006
【図５】
2005020900.tif 000007
【図６】
2005020900.tif 000008